(57)【要約】【課題】  低電力で無線伝送を行うのに好適な眼用器具を提供する。【解決手段】  コンタクトレンズ１０は、眼球の表面に装着可能な内装着部１２と、眼球の表面に装着可能な外装着部１４とを備え、内装着部１２及び外装着部１４には、無線伝送を行うためのループアンテナ１６ａ、１６ｂがそれぞれ内蔵されている。これにより、眼球の表面に装着される内装着部１２と外装着部１４との間の近距離で無線伝送が実現できればよいので、従来に比して、低電力で無線伝送を行うことができる。【選択図】  図２
2020052438.tif 000002
【特許請求の範囲】
【請求項１】
眼球の表面にフィットする形状の装着部を備え、
前記装着部は、信号又は電力を無線で送る送信手段及び前記送信手段から信号又は電力を無線で受ける受信手段の一方からなる通信手段を有し、
眼の外側に設置される機器と前記通信手段との間で信号又は電力を伝送するためのケーブルを備え、
前記ケーブルは、前記装着部のうち装着時に眼角に臨む縁部から引き出されており、
前記装着部は、前記ケーブルの引き出し箇所が上下方向に幅広となり、前記ケーブルの他端に向かうほど先細りになるように平面形状が全体として横に涙型となっていることを特徴とする眼用器具。
【請求項２】
請求項１において、
前記ケーブルは、前記装着部のうち装着時に眼角に臨む周縁から引き出されていることを特徴とする眼用器具。
【請求項３】
請求項１及び２のいずれか１項において、
前記ケーブルを眼の外側で固定する固定手段を備えることを特徴とする眼用器具。
【請求項４】
請求項１乃至３のいずれか１項において、
前記ケーブルを前記装着部から着脱可能に連結する連結手段を備えることを特徴とする眼用器具。
【発明の詳細な説明】
【技術分野】
【０００１】
本発明は、眼に装着可能な眼用器具に係り、特に、低電力で無線伝送を行うのに好適な眼用器具に関する。
【背景技術】
【０００２】
従来、外部デバイスと無線通信を行うコンタクトレンズとしては、例えば、特許文献１記載の眼用レンズシステムが知られている。
【０００３】
特許文献１記載の眼用レンズシステムは、外界に設置された外部デバイスと、眼に装着された眼用レンズとを備え、外部デバイスと眼用レンズとの間で信号や電力を無線で伝送するものである。
【先行技術文献】
【特許文献】
【０００４】
【特許文献１】特開２０１５−６２０６３号公報
【発明の概要】
【発明が解決しようとする課題】
【０００５】
しかしながら、特許文献１記載の眼用レンズシステムにあっては、外界に設置された外部デバイスと無線伝送を行うため、無線伝送に必要な電力が大きいという問題があった。
【０００６】
そこで、本発明は、このような従来の技術の有する未解決の課題に着目してなされたものであって、低電力で無線伝送を行うのに好適な眼用器具を提供することを目的としている。
【課題を解決するための手段】
【０００７】
〔発明１〕  上記目的を達成するために、発明１の眼用器具は、眼に装着可能な第１装着部及び第２装着部を備え、前記第１装着部は、電気又は電磁波を無線で送る送信手段を有し、前記第２装着部は、前記送信手段から電気又は電磁波を無線で受ける受信手段を有する。
【０００８】
このような構成であれば、第１装着部及び第２装着部が眼に装着されると、送信手段及び受信手段により、第１装着部と第２装着部との間で無線伝送が行われる。
【０００９】
ここで、第１装着部を眼に装着する態様としては、第１装着部を眼に直接装着すること、眼との間に１又は複数の媒体（例えば、部材）を介在させて第１装着部を眼に間接的に装着することが含まれる。第２装着部についても同様である。以下、発明１０及び１１の眼用器具において同じである。
【００１０】
また、第１装着部は、人又は動物の眼球に装着可能なものとして、より具体的には、眼球に形状適合性を有する曲面状又は眼球の表面形状に沿った球面形状のものとして構成することができる。第２装着部についても同様である。以下、発明１０及び１１の眼用器具において同じである。
【００１１】
また、送信手段としては、例えば、無線で信号を送信する信号送信機若しくはアンテナ、又は無線で給電を行う電力送信機若しくはアンテナが含まれる。また、受信手段としては、例えば、無線で信号を受信する信号受信機若しくはアンテナ、又は無線で給電を行う電力受信機若しくはアンテナが含まれる。以下、発明１０及び１１の眼用器具において同じである。
【００１２】
また、眼用器具としては、例えば、眼用デバイス、薬剤供給補助具及び矯正具が含まれる。眼用デバイスとしては、例えば、（１）眼に対し情報の提供を行うデバイス、（２）眼に関する情報の収集を行うデバイス、（３）眼の外側に対し情報の提供を行うデバイス、（４）眼の外側に関する情報の収集を行うデバイス、（５）眼に対し機能の維持、回復若しくは付与又は作用を行うデバイス、及び（６）眼の外側に対し機能の付与又は作用を行うデバイスが含まれる。これらのうち（３）の機能としては、例えば、認証装置等に対し認証情報を投影する機能が挙げられる。また、眼用デバイスとしては、例えば、（１）光学デバイス（例えば、レンズ、光ファイバー、光導波路、光アイソレータ、半導体レーザ）、及び（２）電子デバイス（例えば、カメラ、投影機、センサ）が含まれる。以下、発明１０及び１１の眼用器具において同じである。
【００１３】
〔発明２〕  さらに、発明２の眼用器具は、発明１の眼用器具において、前記第１装着部及び前記第２装着部は、眼球の表面に装着可能なものである。
【００１４】
〔発明３〕  さらに、発明３の眼用器具は、発明２の眼用器具において、前記第１装着部及び前記第２装着部の一方は、他方よりも結膜外縁側に配置される。
【００１５】
〔発明４〕  さらに、発明４の眼用器具は、発明２及び３のいずれか１の眼用器具において、前記第１装着部及び前記第２装着部は、眼球の面方向に配置される。
【００１６】
〔発明５〕  さらに、発明５の眼用器具は、発明１乃至３のいずれか１の眼用器具において、前記第１装着部及び前記第２装着部は、眼球の径方向に配置される。
【００１７】
〔発明６〕  さらに、発明６の眼用器具は、発明１の眼用器具において、前記第１装着部及び前記第２装着部の一方は、眼球の表面に装着可能なものであり、他方は眼球内に装着可能なものである。
【００１８】
〔発明７〕  さらに、発明７の眼用器具は、発明１の眼用器具において、前記第１装着部及び前記第２装着部は、眼球内に装着可能なものである。
【００１９】
〔発明８〕  さらに、発明８の眼用器具は、発明１乃至７のいずれか１の眼用器具において、前記受信手段は、所定以上の出力の無線については受信を拒否する。
【００２０】
〔発明９〕  さらに、発明９の眼用器具は、眼に装着可能な第１装着部及び第２装着部を備え、前記第１装着部は、電気又は電磁波を伝送するための第１接続端子を有し、前記第２装着部は、前記第１接続端子と電気的に接続可能な第２接続端子を有する。
【００２１】
〔発明１０〕  さらに、発明１０の眼用器具は、発明１乃至９のいずれか１の眼用器具における前記第１装着部である。
【００２２】
〔発明１１〕  さらに、発明１１の眼用器具は、発明１乃至９のいずれか１の眼用器具における前記第２装着部である。
【発明の効果】
【００２３】
以上説明したように、発明１の眼用器具によれば、眼に装着される第１装着部と第２装着部との間の近距離で無線伝送が実現できればよいので、従来に比して、低電力で無線伝送を行うことができる。
【００２４】
さらに、発明３の眼用器具によれば、眼球の動作によって第１装着部及び第２装着部が動き、その動きに差が生じても伝送が阻害される可能性又は度合いを低減することができる。
【００２５】
さらに、発明８の眼用器具によれば、所定以上の出力では無線伝送を行うことが困難となるので、第１装着部及び第２装着部との間の無線伝送についてセキュリティを向上することができる。
【００２６】
さらに、発明９の眼用器具によれば、第１装着部と第２装着部との間で有線伝送が行われるので、無線伝送に比して、伝送効率を向上することができる。
【図面の簡単な説明】
【００２７】
【図１】コンタクトレンズ１０の正面図である。
【図２】コンタクトレンズ１０の装着方法を説明するための図であり、（ａ）は眼２０の正面図、（ｂ）は（ａ）のＡ−Ａ線に沿った断面図である。
【図３】コンタクトレンズ１０の正面図である。
【図４】コンタクトレンズ１０の装着方法を説明するための図であり、（ａ）は眼２０の正面図、（ｂ）は（ａ）のＡ−Ａ線に沿った断面図である。
【図５】コンタクトレンズ１０の正面図である。
【図６】コンタクトレンズ１０の装着方法を説明するための図であり、（ａ）は眼２０の正面図、（ｂ）は（ａ）のＡ−Ａ線に沿った断面図である。
【図７】コンタクトレンズ１０の装着方法を説明するための図であり、（ａ）は眼２０の正面図、（ｂ）は（ａ）のＡ−Ａ線に沿った断面図である。
【発明を実施するための形態】
【００２８】
〔第１の実施の形態〕
以下、本発明の第１の実施の形態を説明する。図１及び図２は、本実施の形態を示す図である。
【００２９】
まず、本実施の形態の構成を説明する。
図１は、コンタクトレンズ１０の正面図である。
【００３０】
コンタクトレンズ１０は、図１に示すように、眼球の表面に装着可能な内装着部１２と、眼球の表面に装着可能な外装着部１４とを有して構成されている。内装着部１２及び外装着部１４は眼球の面方向に配置され、外装着部１４は、内装着部１２よりも外側（結膜外縁側）に配置される。
【００３１】
内装着部１２は、ソフトコンタクトレンズと同一の材質で構成されている。内装着部１２は、公知のソフトコンタクトレンズと同様に眼球の表面形状に沿った球面形状であり、全体として球殻形状となっている。その後面は、眼球の表面にフィットするように眼球の表面と同一又は近い曲率となる球面形状となっている。また、平面形状が全体として円形状となっている。内装着部１２は角膜領域（装着時に角膜に位置する領域）を覆い、その外径は角膜領域よりもやや大径となっている。
【００３２】
内装着部１２には、電子デバイス３０が内蔵されている。電子デバイス３０は、内装着部１２の厚さよりも薄く形成され、瞳孔領域（装着時に瞳孔に位置する領域）を避け内装着部１２の同心円上に環状に形成されている。
【００３３】
内装着部１２には、ループアンテナ１６ａが内蔵されている。ループアンテナ１６ａは、電子デバイス３０よりも外側に形成され、内装着部１２の周縁に沿って全周にわたって形成されている。ループアンテナ１６ａには、電子デバイス３０が接続されている。
【００３４】
電子デバイス３０は、外装着部１４のループアンテナ１６ｂから無線送信される信号をループアンテナ１６ａを介して受信する受信部と、受信部で受信した信号に基づいて情報処理を行う情報処理部とを有して構成されている。電子デバイス３０としては、例えば、特開２０１７−１９８９８４に開示される電子デバイスを採用することができる。
【００３５】
外装着部１４は、ソフトコンタクトレンズと同一の材質で構成されている。外装着部１４は、公知のソフトコンタクトレンズと同様に眼球の表面形状に沿った球面形状であり、全体として球殻形状となっている。その後面は、眼球の表面にフィットするように眼球の表面と同一又は近い曲率となる球面形状となっている。また、平面形状が全体として円形状となっている。外装着部１４の中央には、内装着部１２の装着領域を開口する貫通孔が形成されている。公知のソフトコンタクトレンズと異なる点の一つはサイズが大きい点であり、装着時に眼瞼裏側の深部にまで及ぶ領域を有している。
【００３６】
外装着部１４には、ループアンテナ１６ｂが内蔵されている。ループアンテナ１６ｂは、外装着部１４の周縁に沿って全周にわたって形成されている。外装着部１４は、さらに、信号を伝送するためのケーブル１６ｃを有して構成されている。ケーブル１６ｃは、絶縁性の素材で形成され、信号線３２が同軸上に配線されている。信号線３２は、ループアンテナ１６ｂに接続されている。ケーブル１６ｃの一端は、外装着部１４のうち装着時に右眼角（右目の場合は内眼角をいい、左目の場合は外眼角をいう。）に臨む周縁に接続され、他端は、眼の外側に設置されるコントロールデバイス（不図示）に接続されている。コントロールデバイスは、例えば、眼鏡、ゴーグル、帽子、マスク、フェイスマスク、鼻当て、耳などに取り付けることができる。
【００３７】
次に、本実施の形態の動作を説明する。
図２は、コンタクトレンズ１０の装着方法を説明するための図であり、（ａ）は眼２０の正面図、（ｂ）は（ａ）のＡ−Ａ線に沿った断面図である。図２（ａ）中、点線で示す最外円は結膜の外縁を示している。
【００３８】
使用者は、図２に示すように、内装着部１２及び外装着部１４を装着する。ケーブル１６ｃは、外装着部１４のうち右眼角に臨む周縁に接続されているので、上眼瞼２６ａ及び下眼瞼２６ｂの軌道をなるべく避け右眼角から引き出すことができる。右眼角から引き出したケーブル１６ｃは、眼２０の外側で安定して維持できるようシール１８で固定する。内装着部１２は、角膜２４上に重ね合わされて装用されることにより使用者の眼光学系に光学特性を与える。また、装用時は、電子デバイス３０により眼２０に関する情報の収集等が行われる。
【００３９】
眼２０の外側に設置されるコントロールデバイスでは、電子デバイス３０を制御するための信号、電子デバイス３０の情報処理部で情報処理に必要な信号その他の信号が送信される。コントロールデバイスからの信号は、ケーブル１６ｃの信号線３２を介してループアンテナ１６ｂに伝送される。外装着部１４では、ループアンテナ１６ｂを介してコントロールデバイスからの信号が無線で送信される。内装着部１２では、ループアンテナ１６ｂから無線送信された信号がループアンテナ１６ａで受信される。電子デバイス３０では、ループアンテナ１６ａを介して受信部により信号を受信し、受信した信号に基づいて情報処理部により情報処理が行われる。
【００４０】
次に、本実施の形態の効果を説明する。
本実施の形態では、コンタクトレンズ１０は、眼球の表面に装着可能な内装着部１２と、眼球の表面に装着可能な外装着部１４とを備え、内装着部１２及び外装着部１４には、無線伝送を行うためのループアンテナ１６ａ、１６ｂがそれぞれ内蔵されている。
【００４１】
これにより、眼球の表面に装着される内装着部１２と外装着部１４との間の近距離で無線伝送が実現できればよいので、従来に比して、低電力で無線伝送を行うことができる。
【００４２】
さらに、本実施の形態では、外装着部１４は、内装着部１２よりも外側（結膜外縁側）に配置される。
【００４３】
これにより、眼球の動作によって内装着部１２及び外装着部１４が動き、その動きに差が生じても伝送が阻害される可能性又は度合いを低減することができる。
【００４４】
さらに、本実施の形態では、外装着部１４は、信号を伝送するためのケーブル１６ｃを備え、ケーブル１６ｃは、外装着部１４のうち装着時に右眼角に臨む縁部に接続する。
【００４５】
これにより、上眼瞼２６ａ及び下眼瞼２６ｂの軌道をなるべく避けケーブル１６ｃを右眼角から引き出すことができるので、上眼瞼２６ａ又は下眼瞼２６ｂとの干渉が生じる可能性又は度合いを低減することができる。
【００４６】
さらに、本実施の形態では、ケーブル１６ｃは、外装着部１４の周縁に接続する。
これにより、上眼瞼２６ａ又は下眼瞼２６ｂとの干渉が生じる可能性又は度合いをさらに低減することができる。
【００４７】
さらに、本実施の形態では、コンタクトレンズ１０は、ケーブル１６ｃを眼２０の外側で固定するシール１８を備える。
【００４８】
これにより、ケーブル１６ｃを眼２０の外側で安定して維持することができる。
本実施の形態において、内装着部１２は、発明１乃至４又は１１の第２装着部に対応し、外装着部１４は、発明１乃至４又は１０の第１装着部に対応し、ループアンテナ１６ａは、発明１の受信手段に対応し、ループアンテナ１６ｂは、発明１の送信手段に対応している。
【００４９】
〔第２の実施の形態〕
次に、本発明の第２の実施の形態を説明する。図３及び図４は、本実施の形態を示す図である。なお、以下、上記第１の実施の形態と異なる部分についてのみ説明し、重複する部分については同一の符号を付して説明を省略する。
【００５０】
まず、本実施の形態の構成を説明する。
図３は、コンタクトレンズ１０の正面図である。
【００５１】
図４は、コンタクトレンズ１０の装着方法を説明するための図であり、（ａ）は眼２０の正面図、（ｂ）は（ａ）のＡ−Ａ線に沿った断面図である。図４（ａ）中、点線で示す最外円は結膜の外縁を示している。
【００５２】
コンタクトレンズ１０は、図３に示すように、内装着部１２と、外装着部１４とを有して構成されている。上記第１の実施の形態と異なる点は、内装着部１２に電子デバイス３０が内蔵されていない点である。
【００５３】
眼球内には、図４に示すように、角膜に代えて人工角膜２４ａが装着されている。人工角膜２４ａは、角膜とほぼ同じ形状であり、全体として球殻形状となっている。また、平面形状が全体として円形状となっている。人工角膜２４ａ及び内装着部１２は眼球の径方向に配置される。
【００５４】
人工角膜２４ａには、電子デバイス３０が内蔵されている。電子デバイス３０は、透光性の部材で部材からなり、人工角膜２４ａの厚さよりも薄く形成されている。電子デバイス３０は瞳孔領域を覆い、その外径は瞳孔領域よりもやや大径となっている。
【００５５】
人工角膜２４ａには、アンテナ１６ｄが内蔵されている。アンテナ１６ｄは、電子デバイス３０の上方に形成されている。アンテナ１６ｄには、電子デバイス３０が接続されている。
【００５６】
電子デバイス３０は、内装着部１２のループアンテナ１６ａから無線送信される信号をアンテナ１６ｄを介して受信する受信部と、受信部で受信した信号に基づいて情報処理を行う情報処理部とを有して構成されている。
【００５７】
次に、本実施の形態の動作を説明する。
眼２０の外側に設置されるコントロールデバイスでは、電子デバイス３０を制御するための信号、電子デバイス３０の情報処理部で情報処理に必要な信号その他の信号が送信される。コントロールデバイスからの信号は、ケーブル１６ｃの信号線３２を介してループアンテナ１６ｂに伝送される。外装着部１４では、ループアンテナ１６ｂを介してコントロールデバイスからの信号が無線で送信される。内装着部１２では、ループアンテナ１６ｂから無線送信された信号がループアンテナ１６ａで受信され、ループアンテナ１６ａを介して再び無線で送信される。人工角膜２４ａでは、ループアンテナ１６ａから無線送信された信号がアンテナ１６ｄで受信される。電子デバイス３０では、アンテナ１６ｄを介して受信部により信号を受信し、受信した信号に基づいて情報処理部により情報処理が行われる。
【００５８】
次に、本実施の形態の効果を説明する。
本実施の形態では、眼球の表面に装着可能な内装着部１２と、眼球内に装着された人工角膜２４ａとを備え、内装着部１２及び人工角膜２４ａには、無線伝送を行うためのループアンテナ１６ａ及びアンテナ１６ｄがそれぞれ内蔵されている。
【００５９】
これにより、内装着部１２と人工角膜２４ａとの間の近距離で無線伝送が実現できればよいので、従来に比して、低電力で無線伝送を行うことができる。
【００６０】
本実施の形態において、内装着部１２は、発明１、６又は１０の第１装着部に対応し、人工角膜２４ａは、発明１、６又は１１の第２装着部に対応し、ループアンテナ１６ａは、発明１の送信手段に対応し、アンテナ１６ｄは、発明１の受信手段に対応している。
【００６１】
〔第３の実施の形態〕
次に、本発明の第３の実施の形態を説明する。図５及び図６は、本実施の形態を示す図である。なお、以下、上記第１の実施の形態と異なる部分についてのみ説明し、重複する部分については同一の符号を付して説明を省略する。
【００６２】
まず、本実施の形態の構成を説明する。
図５は、コンタクトレンズ１０の正面図である。
【００６３】
図６は、コンタクトレンズ１０の装着方法を説明するための図であり、（ａ）は眼２０の正面図、（ｂ）は（ａ）のＡ−Ａ線に沿った断面図である。図６（ａ）中、点線で示す最外円は結膜の外縁を示している。
【００６４】
コンタクトレンズ１０は、図５に示すように、眼球の表面に装着可能な装着部１２ａを有して構成されている。装着部１２ａは、ソフトコンタクトレンズと同一の材質で構成されている。装着部１２ａは、公知のソフトコンタクトレンズと同様に眼球の表面形状に沿った球面形状であり、全体として球殻形状となっている。その後面は、眼球の表面にフィットするように眼球の表面と同一又は近い曲率となる球面形状となっている。また、平面形状が全体として横に涙型となっている。
【００６５】
装着部１２ａには、ループアンテナ１６ａが内蔵されている。ループアンテナ１６ａは、装着部１２ａの周縁に沿って全周にわたって形成されている。装着部１２ａは、さらにケーブル１６ｃを有して構成されている。信号線３２は、ループアンテナ１６ａに接続されている。ケーブル１６ｃの一端は、装着部１２ａのうち装着時に右眼角に臨む周縁に接続されている。ケーブル１６ｃの基端（装着部１２ａとの接点）は、上下方向に幅広となっており、他端に向かうほど先細りになっている。
【００６６】
眼球内には、図６に示すように、水晶体に代えて人工水晶体２８が装着されている。人工水晶体２８は、水晶体とほぼ同じ形状であり、全体として凸レンズ状となっている。また、平面形状が全体として円形状となっている。人工水晶体２８及び装着部１２ａは眼球の径方向に配置される。
【００６７】
人工水晶体２８には、電子デバイス３０が内蔵されている。電子デバイス３０は、透光性の部材で部材からなり、人工水晶体２８の厚さよりも薄く形成されている。電子デバイス３０は瞳孔領域の中心付近に位置し、その外径は瞳孔領域よりも小径となっている。
【００６８】
人工水晶体２８には、アンテナ１６ｅが内蔵されている。アンテナ１６ｅは、電子デバイス３０の上方に形成されている。アンテナ１６ｅには、電子デバイス３０が接続されている。
【００６９】
電子デバイス３０は、装着部１２ａのループアンテナ１６ａから無線送信される信号をアンテナ１６ｅを介して受信する受信部と、受信部で受信した信号に基づいて情報処理を行う情報処理部とを有して構成されている。
【００７０】
次に、本実施の形態の動作を説明する。
眼２０の外側に設置されるコントロールデバイスでは、電子デバイス３０を制御するための信号、電子デバイス３０の情報処理部で情報処理に必要な信号その他の信号が送信される。コントロールデバイスからの信号は、ケーブル１６ｃの信号線３２を介してループアンテナ１６ａに伝送される。装着部１２ａでは、ループアンテナ１６ａを介してコントロールデバイスからの信号が無線で送信される。人工水晶体２８では、ループアンテナ１６ａから無線送信された信号がアンテナ１６ｅで受信される。電子デバイス３０では、アンテナ１６ｅを介して受信部により信号を受信し、受信した信号に基づいて情報処理部により情報処理が行われる。
【００７１】
次に、本実施の形態の効果を説明する。
本実施の形態では、眼球の表面に装着可能な装着部１２ａと、眼球内に装着された人工水晶体２８とを備え、装着部１２ａ及び人工水晶体２８には、無線伝送を行うためのループアンテナ１６ａ及びアンテナ１６ｅがそれぞれ内蔵されている。
【００７２】
これにより、装着部１２ａと人工水晶体２８との間の近距離で無線伝送が実現できればよいので、従来に比して、低電力で無線伝送を行うことができる。
【００７３】
さらに、本実施の形態では、ケーブル１６ｃの基端は、上下方向に幅広となっている。
これにより、ケーブル１６ｃの基端を丈夫にすることができる。
【００７４】
さらに、本実施の形態では、装着部１２ａは、平面形状が全体として横に涙型となっている。
【００７５】
これにより、眼瞼や眼球の動き等によりコンタクトレンズ１０が眼球の表面上で回転する可能性又は度合いを低減することができる。
【００７６】
本実施の形態において、装着部１２ａは、発明１、６又は１０の第１装着部に対応し、人工水晶体２８は、発明１、６又は１１の第２装着部に対応し、ループアンテナ１６ａは、発明１の送信手段に対応し、アンテナ１６ｅは、発明１の受信手段に対応している。
【００７７】
〔第４の実施の形態〕
次に、本発明の第４の実施の形態を説明する。図７は、本実施の形態を示す図である。なお、以下、上記第２の実施の形態と異なる部分についてのみ説明し、重複する部分については同一の符号を付して説明を省略する。
【００７８】
まず、本実施の形態の構成を説明する。
図７は、コンタクトレンズ１０の装着方法を説明するための図であり、（ａ）は眼２０の正面図、（ｂ）は（ａ）のＡ−Ａ線に沿った断面図である。図７（ａ）中、点線で示す最外円は結膜の外縁を示している。
【００７９】
人工角膜２４ａには、図７に示すように、電子デバイス３０ａ（上記第２の実施の形態における電子デバイス３０に相当）が内蔵されている。
【００８０】
眼球内には、水晶体に代えて、上記第３の実施の形態における人工水晶体２８が装着されている。人工水晶体２８には、電子デバイス３０ｂ（上記第３の実施の形態における電子デバイス３０に相当）が内蔵されている。人工水晶体２８、人工角膜２４ａ及び内装着部１２は眼球の径方向に配置される。
【００８１】
内装着部１２の後面には、接続端子１８ａが設けられている。接続端子１８ａは、ループアンテナ１６ａに接続されている。また、人工角膜２４ａの前面のうち接続端子１８ａに対向する位置には、接続端子１８ａと電気的に接続可能な接続端子１８ｂが設けられている。接続端子１８ｂは、電子デバイス３０ａに接続されている。
【００８２】
次に、本実施の形態の動作を説明する。
使用者は、内装着部１２及び外装着部１４を装着する。内装着部１２が装着されると、接続端子１８ａ、１８ｂが接触し電気的に接続される。
【００８３】
眼２０の外側に設置されるコントロールデバイスでは、電子デバイス３０ａを制御するための信号、電子デバイス３０ａの情報処理部で情報処理に必要な信号その他の信号が送信される。コントロールデバイスからの信号は、ケーブル１６ｃの信号線３２を介してループアンテナ１６ｂに伝送される。外装着部１４では、ループアンテナ１６ｂを介してコントロールデバイスからの信号が無線で送信される。内装着部１２では、ループアンテナ１６ｂから無線送信された信号がループアンテナ１６ａで受信され、接続端子１８ａから出力される。人工角膜２４ａでは、接続端子１８ｂから入力された信号が電子デバイス３０ａの受信部で受信される。電子デバイス３０ａでは、信号を受信すると、受信した信号に基づいて情報処理部により情報処理が行われる。
【００８４】
電子デバイス３０ａでは、情報処理部により、電子デバイス３０ｂを制御するための信号、電子デバイス３０ｂの情報処理部で情報処理に必要な信号その他の信号がアンテナ１６ｄを介して無線で送信される。人工水晶体２８では、アンテナ１６ｄから無線送信された信号がアンテナ１６ｅで受信される。電子デバイス３０ｂでは、アンテナ１６ｅを介して受信部により信号を受信し、受信した信号に基づいて情報処理部により情報処理が行われる。
【００８５】
次に、本実施の形態の効果を説明する。
本実施の形態では、眼球内に装着された人工角膜２４ａと、眼球内に装着された人工水晶体２８とを備え、人工角膜２４ａ及び人工水晶体２８には、無線伝送を行うためのアンテナ１６ｄ、１６ｅがそれぞれ内蔵されている。
【００８６】
これにより、人工角膜２４ａと人工水晶体２８との間の近距離で無線伝送が実現できればよいので、従来に比して、低電力で無線伝送を行うことができる。
【００８７】
さらに、本実施の形態では、内装着部１２及び人工角膜２４ａは、接続端子１８ａ、１８ｂにより電気的に接続可能となっている。
【００８８】
これにより、内装着部１２と人工角膜２４ａとの間で有線伝送が行われるので、伝送効率を向上することができる。
【００８９】
本実施の形態において、人工角膜２４ａは、発明１、７又は１０の第１装着部に対応し、人工水晶体２８は、発明１、７又は１１の第２装着部に対応し、アンテナ１６ｄは、発明１の送信手段に対応し、アンテナ１６ｅは、発明１の受信手段に対応している。
【００９０】
本実施の形態において、内装着部１２は、発明９又は１０の第１装着部に対応し、人工角膜２４ａは、発明９又は１１の第２装着部に対応している。
【００９１】
〔変形例〕
なお、上記第１乃至第４の実施の形態においては、信号を無線で伝送するように構成したが、これに限らず、電力を無線で伝送するように構成することもできる。電力を無線で伝送する方式としては、例えば、給電側と受電側の２つのコイルが起こす磁束によって電力を伝送する電磁誘導方式、給電側と受電側の２つのコイルが起こす磁気共鳴によって電力を伝送する磁気共鳴方式、又は電気をマイクロ波に変換して電力を伝送するマイクロ波方式を採用することができる。
【００９２】
また、上記第１乃至第４の実施の形態及びその変形例においては、信号を電波で伝送するように構成したが、これに限らず、光信号を無線で伝送するように構成することもできる。
【００９３】
また、上記第１乃至第４の実施の形態及びその変形例において、内装着部１２、外装着部１４、装着部１２ａ、人工角膜２４ａ又は人工水晶体２８に対しては送信機能又は受信機能を任意に設定することができる。上記第１の実施の形態を例にとれば、信号を伝送する場合は、（１）無線で信号を送信する信号送信機を内装着部１２に、信号送信機からの無線信号を受信する信号受信機を外装着部１４に設ける構成、（２）信号送信機を外装着部１４に、信号受信機を内装着部１２に設ける構成、又は（３）信号送信機の送信機能及び信号受信機の受信機能を有する信号送受信機を内装着部１２に、内装着部１２の信号送受信機との間で無線信号を送受信する信号送受信機を外装着部１４に設ける構成を採用することができる。構成（１）〜（３）において、外装着部１４と眼２０の外側との間は、ケーブル１６ｃを用いて有線接続してもよいし、本変形例と同様にケーブル１６ｃを用いず無線接続してもよい。
【００９４】
電力を伝送する場合は、（１）ループコイル等を用いて無線で給電を行う電力送信機を外装着部１４に、ループコイル等を用いて電力送信機から無線で受電を行う電力受信機を内装着部１２に設ける構成、（２）電力送信機を内装着部１２に、電力受信機を外装着部１４に設ける構成、（３）電力送信機の給電機能及び電力受信機の受電機能を有する電力送受信機を外装着部１４に、外装着部１４の電力送受信機との間で無線で給電及び受電を行う電力送受信機を内装着部１２に設ける構成を採用することができる。構成（１）〜（３）において、外装着部１４と眼２０の外側との間は、ケーブル１６ｃを用いて有線接続してもよいし、本変形例と同様にケーブル１６ｃを用いず無線接続してもよい。
【００９５】
また、上記第１乃至第４の実施の形態及びその変形例においては、信号の伝送方向について特に説明しなかったが、伝送方向は任意である。例えば、コントロールデバイスから電子デバイス３０、３０ａ、３０ｂに信号又は電力を伝送する方向（内向き方向）、電子デバイス３０、３０ａ、３０ｂからコントロールデバイスに信号又は電力を伝送する方向（外向き方向）、並びに内向き方向及び外向き方向の双方向が挙げられる。
【００９６】
また、上記第２の実施の形態及びその変形例においては、ループアンテナ１６ｂとループアンテナ１６ａとの間で無線伝送を行い、ループアンテナ１６ａとアンテナ１６ｄとの間で無線伝送を行うように構成したが、これに限らず、ループアンテナ１６ａ、１６ｂ及びアンテナ１６ｄとの間で相互に無線伝送を行うように構成することもできる。また、外部の通信機器並びにループアンテナ１６ａ、１６ｂ及びアンテナ１６ｄとの間で相互に無線伝送を行うように構成することもできる。これらの構成において、無線伝送を行う対象の組み合わせは任意である。
【００９７】
また、上記第４の実施の形態及びその変形例においては、ループアンテナ１６ｂとループアンテナ１６ａとの間で無線伝送を行い、アンテナ１６ｄとアンテナ１６ｅとの間で無線伝送を行うように構成したが、これに限らず、ループアンテナ１６ａ、１６ｂ及びアンテナ１６ｄ、１６ｅとの間で相互に無線伝送を行うように構成することもできる。また、外部の通信機器並びにループアンテナ１６ａ、１６ｂ及びアンテナ１６ｄ、１６ｅとの間で相互に無線伝送を行うように構成することもできる。これらの構成において、無線伝送を行う対象の組み合わせは任意である。
【００９８】
また、上記第１乃至第４の実施の形態及びその変形例においては、無線伝送のセキュリティについて特に説明しなかったが、セキュリティを向上する観点から、例えば、所定以上の出力の無線については受信を拒否するように構成することもできる。また、所定以上の出力の無線を受信し、それが復号可能なアクセスである場合は、不正なアクセスである可能性があることから一定期間受信を受け付けないように構成することもできる。すなわち、無線出力をキーとして無線伝送を制御することができる。この機能は、例えば、電子デバイス３０、３０ａ、３０ｂに設けることができる。
【００９９】
また、上記第４の実施の形態及びその変形例においては、内装着部１２及び人工角膜２４ａを接続端子１８ａ、１８ｂで眼球の径方向に電気的に接続したが、これに限らず、接続端子で眼球の面方向に接続してもよい。接続端子で接続する方向は任意である。例えば、上記第１の実施の形態のように内装着部１２及び外装着部１４を眼球の面方向に配置する場合は、内装着部１２及び外装着部１４を接続端子で眼球の面方向に電気的に接続することができる。
【０１００】
また、上記第１乃至第４の実施の形態及びその変形例においては、ループアンテナ１６ａ、１６ｂ又はアンテナ１６ｄ、１６ｅの形状等を例示したが、これに限らず、ループアンテナ１６ａ、１６ｂ又はアンテナ１６ｄ、１６ｅは、任意の数、任意の方向、任意の大きさ、任意の形状、任意の材質で形成することができる。
【０１０１】
また、上記第１乃至第４の実施の形態及びその変形例においては、ケーブル１６ｃの接続位置等を例示したが、これに限らず、ケーブル１６ｃは、任意の数、任意の方向、任意の大きさ、任意の形状、任意の材質で形成することができ、外装着部１４又は装着部１２ａの任意の箇所に接続することができる。
【０１０２】
また、上記第１乃至第４の実施の形態及びその変形例においては、ケーブル１６ｃを外装着部１４又は装着部１２ａに一体に接続したが、これに限らず、コネクタ等の連結部を設け、ケーブル１６ｃを外装着部１４又は装着部１２ａから着脱可能とする構成を採用することもできる。この場合、連結部は、外装着部１４又は装着部１２ａに設けてもよいし、ケーブル１６ｃの途中に設けてもよい。
【０１０３】
また、上記第１乃至第４の実施の形態及びその変形例においては、ケーブル１６ｃの幅について特に説明しなかったが、ケーブル１６ｃの幅は任意であり、例えば、伸長方向に一定であってもよいし、伸長方向に変化していてもよい。
【０１０４】
また、上記第１乃至第４の実施の形態及びその変形例においては、ケーブル１６ｃは、絶縁性の素材で構成したが、これに限らず、ケーブル１６ｃの材質は任意であり、例えば、信号線３２が絶縁性の素材で被覆されている場合は、ケーブル１６ｃは必ずしも絶縁性の素材で構成する必要はない。また、ケーブル１６ｃの素材は、外装着部１４又は装着部１２ａの素材と同一であってもよいし、異なっていてもよい。
【０１０５】
また、上記第１乃至第４の実施の形態及びその変形例において、ケーブル１６ｃは、シール１８で固定したが、これに限らず、眼鏡、ゴーグル、帽子、マスク、フェイスマスク、鼻当てその他の固定手段で固定することもできる。
【０１０６】
また、上記第１乃至第４の実施の形態及びその変形例において、ケーブル１６ｃは、他端をコントロールデバイスに接続したが、これに限らず、コンタクトレンズ１０との間でケーブル１６ｃを介して電気又は電磁波の伝送を行うものであれば任意の機器、装置、器具、治具に接続することができる。例えば、他方の眼に装着されたコンタクトレンズ１０の電子デバイス３０、中継器（無線中継器、リピータ、スイッチ、ハブ、ブリッジ、ルータ等）、バッテリーなどに接続することができる。
【０１０７】
また、上記第１乃至第４の実施の形態及びその変形例においては、内装着部１２、外装着部１４又は装着部１２ａに薬剤シート等を付着させて薬剤供給補助具として使用することもできる。
【０１０８】
また、上記第１乃至第４の実施の形態及びその変形例においては、内装着部１２、外装着部１４又は装着部１２ａの形状等を例示したが、これに限らず、内装着部１２、外装着部１４又は装着部１２ａは、任意の大きさ、任意の形状、任意の材質で形成することができる。
【０１０９】
また、上記第１、第２及び第４の実施の形態並びにその変形例において、内装着部１２又は外装着部１４は、平面形状を全体として円形状に形成したが、これに限らず、任意の形状を採用することができる。例えば、全体として縦長楕円形状に形成すれば、内装着部１２又は外装着部１４に薬剤シート等を付着させて薬剤供給補助具として使用する場合は、結膜の深部まで薬剤を供給しやすい。また、全体として横長楕円形状に形成すれば、結膜炎等の症状時に眼瞼結膜への干渉が生じる可能性又は度合いを低減することができる。
【０１１０】
また、上記第３の実施の形態及びその変形例において、装着部１２ａは、平面形状を全体として横に涙型に形成したが、これに限らず、任意の形状を採用することができる。例えば、全体として縦長楕円形状に形成すれば、装着部１２ａに薬剤シート等を付着させて薬剤供給補助具として使用する場合は、結膜の深部まで薬剤を供給しやすい。また、全体として横長楕円形状に形成すれば、結膜炎等の症状時に眼瞼結膜への干渉が生じる可能性又は度合いを低減することができる。
【０１１１】
また、上記第１、第２及び第４の実施の形態及びその変形例において、外装着部１４は、眼瞼結膜円蓋部に接触しない程度の大きさとして構成したが、これに限らず、眼瞼結膜円蓋部に位置（接触又は近接）するように構成することもできる。
【０１１２】
また、上記第３の実施の形態及びその変形例において、装着部１２ａは、眼瞼結膜円蓋部に接触しない程度の大きさとして構成したが、これに限らず、眼瞼結膜円蓋部に位置（接触又は近接）するように構成することもできる。
【０１１３】
また、上記第１の実施の形態及びその変形例においては、電子デバイス３０を内装着部１２に内蔵して構成したが、これに限らず、例えば、２枚のコンタクトレンズで内装着部１２を構成し、２枚のコンタクトレンズの間に電子デバイス３０を挟持してもよい。この場合、２枚のコンタクトレンズは、一部を結合してもよいし、結合可能な結合構造（ねじ構造や嵌合構造等）を設けてもよい。また、他の構成として、電子デバイス３０に吸盤等の吸着手段を設け、吸着手段により内装着部１２に吸着させてもよい。この変形例は、上記第２乃至第４の実施の形態並びにその変形例についても同様に適用することができる。
【０１１４】
また、上記第１乃至第４の実施の形態及びその変形例においては、コンタクトレンズ１０を眼球に直接装着したが、これに限らず、１又は複数の媒体（例えば、部材）を介してコンタクトレンズ１０を間接的に眼球に装着することもできる。
【０１１５】
また、上記第１乃至第４の実施の形態及びその変形例において、コンタクトレンズ１０は、ソフトコンタクトレンズと同一の材質で構成したが、これに限らず、ハードコンタクトレンズと同一の材質その他の材質で構成することもできる。例えば、薬剤その他の眼用装着物として構成することができる。
【０１１６】
また、上記第１乃至第４の実施の形態及びその変形例において、内装着部１２又は装着部１２ａは、角膜領域を開口する貫通孔を形成しなかったが、これに限らず、角膜領域を開口する貫通孔を形成することもできる。貫通孔は、角膜領域を開口する孔に限定されることなく、任意の数、任意の大きさ、任意の形状で、任意の箇所に形成することができる。例えば、貫通孔は、少なくとも瞳孔領域（装着時に瞳孔２２に位置する領域）を開口する孔として形成することもできるし、内装着部１２又は装着部１２ａの面方向に開口させることもできる。また、眼球の動き量は上下方向よりも左右方向の方が大きいので、角膜２４への干渉が生じる可能性又は度合いを低減する観点からは、貫通孔の幅（横方向の長さ）は貫通孔の高さ（縦方向の長さ）よりも大きくする構成を採用することができる。同様の観点から、眼球の上下方向の動き量は下方向よりも上方向の方が大きいので、貫通孔において装着時に正面を向いた角膜２４の中心に位置する基準点から上端までの長さは、同基準点から下端までの長さよりも大きくする構成を採用することができる。この２点を考慮すると、貫通孔は、例えば、上部が膨張する横長楕円形状（幅が高さよりも大きく、基準点から上端までの長さが下端までの長さよりも大きい形状）とする構成を採用することができる。この場合、眼瞼や眼球の動き等により内装着部１２又は装着部１２ａが眼球の表面上で回転すると、角膜２４に対する貫通孔の相対位置が変化してしまうので、内装着部１２又は装着部１２ａが回転する可能性又は度合いを低減する観点からは、例えば、装着部１２ａの上縁が上眼瞼結膜円蓋部に、下縁が眼瞼結膜円蓋部に位置（接触又は近接）するように装着部１２ａの大きさを設定する構成を採用することができる。また、内装着部１２又は装着部１２ａに形成する孔は、貫通孔に限らず、前面を開口とする凹部（一部又は全部が底となる場合を含む。以下、同様である。）又は後面を開口とする凹部（以下これらを総称して「凹部」という。）として形成することもできる。
【０１１７】
また、上記第１乃至第４の実施の形態及びその変形例においては、本発明をコンタクトレンズ１０に適用したが、これに限らず、眼に装着可能な眼用装着物であれば任意の眼用装着物に適用することができる。眼用装着物としては、例えば、（１）電子デバイス、（２）ソフトコンタクトレンズ、ハードコンタクトレンズその他のレンズ、光ファイバー、光導波路、光アイソレータ、半導体レーザ等の光学デバイス、（３）薬剤供給補助具、（４）矯正具、（５）薬剤、（６）サプリメント、（７）磁性流体、又は（８）その他の眼用装着物を採用することができる。ここで、眼用装着物が電子デバイスの場合、（１）眼に対し情報の提供を行うデバイス（例えば、投影機）、（２）眼に関する情報の収集を行うデバイス（例えば、カメラ、生体センサその他のセンサ）、（３）眼の外側に対し情報の提供を行うデバイス（例えば、ディスプレイ）、（４）眼の外側に関する情報の収集を行うデバイス（例えば、カメラ、生体センサその他のセンサ）、（５）眼に対し機能の維持、回復若しくは付与又は作用を行うデバイス（例えば、医療機器、発光素子、圧電素子、振動素子、発熱素子）、又は（６）眼の外側に対し機能の付与又は作用を行うデバイス（例えば、医療機器、発光素子、圧電素子、振動素子、発熱素子）を採用することができる。また、電子デバイスに代えて光学デバイスその他の眼用デバイスを採用する場合も、同様に上記（１）〜（６）の機能を備えるデバイスを採用することができる。また、眼用装着物がハードコンタクトレンズの場合、ハードコンタクトレンズが眼球に直接接触しにくいので装用感を向上することができる。
【０１１８】
また、上記第１乃至第４の実施の形態及びその変形例においては、コンタクトレンズ１０を眼用器具として採用したが、これに限らず、眼に装着可能な眼用器具であれば任意の眼用器具を採用することができる。眼用器具としては、例えば、（１）電子デバイス、（２）ソフトコンタクトレンズ、ハードコンタクトレンズその他のレンズ、光ファイバー、光導波路、光アイソレータ、半導体レーザ等の光学デバイス、（３）薬剤供給補助具、（４）矯正具、又は（５）その他の眼用器具を採用することができる。また、コンタクトレンズ１０としては、これら（１）〜（５）以外に、眼に装着可能な眼用装着物を採用することができる。眼用装着物としては、例えば、これら（１）〜（５）以外に、（６）薬剤、（７）サプリメント、（８）磁性流体、又は（９）その他の眼用装着物を採用することができる。
【０１１９】
また、上記第１乃至第４の実施の形態及びその変形例においては、本発明に係る眼用器具を眼球の表面又は眼球内に装着したが、さらに例えば、人工虹彩、人工硝子体、人工網膜、眼内デバイス（例えば、虹彩の前側又は後側に留置される眼用デバイス、その他眼球内に留置される眼用デバイスを含む。）又はその機能を補完するものとして構成し、眼球内に装着することもできる。
【０１２０】
また、上記第１乃至第４の実施の形態及びその変形例は相互に適用することができる。
また、上記第１乃至第４の実施の形態及びその変形例においては、コンタクトレンズ１０に本発明を適用したが、これに限らず、本発明の主旨を逸脱しない範囲で他の場合にも適用可能である。
【符号の説明】
【０１２１】
１０…コンタクトレンズ、  １２…内装着部、  １２ａ…装着部、  １４…外装着部、  １６ａ、１６ｂ…ループアンテナ、  １６ｃ…ケーブル、  １６ｄ、１６ｅ…アンテナ、  １８…シール、  １８ａ、１８ｂ…接続端子、  ２０…眼、  ２２…瞳孔、  ２４…角膜、  ２４ａ…人工角膜、  ２６ａ…上眼瞼、  ２６ｂ…下眼瞼、  ２８…人工水晶体、  ３０、３０ａ、３０ｂ…電子デバイス、  ３２…信号線
【図１】
2020052438.tif 000003
【図２】
2020052438.tif 000004
【図３】
2020052438.tif 000005
【図４】
2020052438.tif 000006
【図５】
2020052438.tif 000007
【図６】
2020052438.tif 000008
【図７】
2020052438.tif 000009